(57)【要約】【課題】ネットワーク中継装置１１０が設置された環境下での、実寿命を診断する。【解決手段】ネットワーク中継装置１００は、１時間に１回、温度センサ４の測定した温度を含む不揮発性メモリ５の温度帯の時間値をインクリメントする。サーバ２００は、１ヶ月に１回程度の頻度で、ネットワーク中継装置２００に、稼動状況要求を送信する。ネットワーク中継装置１００は、これに応答して温度帯ごとの時間値を含む稼動状況応答を、サーバ２００に返信する。稼動状況応答を受信したサーバ２００は、温度帯ごとの時間値を含む診断要求を、ＰＣ３００に送信する。ＰＣ３００は、寿命診断を実施し、その結果を診断応答に乗せてサーバ２００に返信する。【選択図】図３
2008020978.tif 000002
【特許請求の範囲】
【請求項１】
情報処理装置の環境温度と使用時間との情報を受信し、十度二倍則に基づく重み付け使用時間に換算し、設計寿命時間との差を演算して残寿命とすることを特徴とする情報処理装置の残寿命診断方法。
【請求項２】
情報処理装置の環境温度と使用時間との情報を受信し、十度二倍則に基づく第１の重み付け使用時間に換算し、前期間の第２の重み付け使用時間との比較に基づいて当期間のリース料を算定することを特徴とする稼動課金方法。
【請求項３】
コンピュータを、情報処理装置に対する稼動状況要求部と、前記情報処理装置からの稼動状況応答受信部と、前記情報処理装置の診断要求部と、診断応答受信部として機能させることを特徴とするプログラム。
【請求項４】
コンピュータを、情報処理装置に対する稼動状況要求部と、前記情報処理装置からの稼動状況応答受信部と、前記情報処理装置に対する課金要求部と、課金応答受信部として機能させることを特徴とするプログラム。
【請求項５】
コンピュータを、情報処理装置の診断要求受信部と、十度二倍則に基づく寿命診断部と、この寿命診断部の診断結果を送信する診断応答部として機能させることを特徴とするプログラム。
【請求項６】
請求項５に記載のプログラムであって、
前記コンピュータを、サービス提案判定として、さらに機能させることを特徴とするプログラム。
【請求項７】
コンピュータを、情報処理装置に対する課金要求受信部と、十度二倍則に基づく課金演算部と、この課金演算部の演算結果を送信する課金応答部として機能させることを特徴とするプログラム。
【発明の詳細な説明】
【技術分野】
【０００１】
本発明は、情報処理装置の残寿命診断方法、稼動課金方法およびプログラムに関する。
【背景技術】
【０００２】
特許文献１には、劣化を示す特徴量の時系列変化と特徴量に対する故障確率密度分布を診断ＤＢに保存し、保存されたこれらのデータと診断時に計測した特徴量に基づいて加速係数を導出し、診断対象となる電子部品の余寿命を推定する電子部品の寿命診断方法が記載されている。
【０００３】
電子部品の寿命評価について、十度二倍則が知られている。十度二倍則では、３０℃で２００ｋ時間の寿命の電子部品は、基準温度から十度高い４０℃では半分の１００ｋ時間の寿命、基準温度から十度低い２０℃では倍の４００ｋ時間となる。なお、十度二倍則は、式（１）のアレニウスの法則に基づく。
寿命∝ｅｘｐ（Ｅ／Ｒ／Ｔ）  …（１）
ここで、Ｅ：活性化エネルギ、Ｒ：ガス定数、Ｔ：絶対温度である。
【０００４】
なお、本発明の出願の時点で未公開ではあるが、特願２００５−３６４２１２には、情報処理機器の稼動監視に関する発明が記載されている。
【０００５】
また、情報処理装置は、昼夜連続稼動を前提として設計され、３５℃で６年間（５２，６００時間）稼動可能である。これは、情報通信機器を構成する部品単位で、３段階の高温加速試験を実施し、アレニウスプロットを外挿して、３５℃５２，６００時間の稼動を検証しているからである。しかし、実際には空調された部屋で２５℃未満の環境に置かれた情報処理装置も多数ある。これは、情報処理装置の設置者が、ＭＴＢＦ（Mean Time Between Failures）を大きくしようとしているためである。
【０００６】
【特許文献１】特開２００１−１６５８２２号公報
【発明の開示】
【発明が解決しようとする課題】
【０００７】
特許文献１に記載された技術は、電子部品に加速試験を実施し、劣化を示す特徴量と特徴量に対する故障確率密度分布を事前に得ておく必要がある。
本発明によれば、情報処理機器の設計寿命の前提となる温度条件と実稼動温度条件との差から実稼動寿命を診断する寿命診断方法と、情報処理機器のプログラムを提供する。
【０００８】
また、情報処理機器の実稼動温度条件に基づいて、課金を請求する課金請求方法と、情報処理機器のプログラムを提供する。
【課題を解決するための手段】
【０００９】
上記課題は、情報処理装置の環境温度と使用時間との情報を受信し、十度二倍則に基づく重み付け使用時間に換算し、設計寿命時間との差を演算して残寿命とする情報処理装置の残寿命診断方法により、解決できる。
また、情報処理装置の環境温度と使用時間との情報を受信し、十度二倍則に基づく第１の重み付け使用時間に換算し、前期間の第２の重み付け使用時間との比較に基づいて当期間のリース料を算定する稼動課金方法により、解決できる。
【００１０】
さらに、コンピュータを、情報処理装置に対する稼動状況要求部と、前記情報処理装置からの稼動状況応答受信部と、前記情報処理装置の診断要求部と、診断応答受信部として機能させるプログラムにより、解決できる。
さらにまた、コンピュータを、情報処理装置に対する稼動状況要求部と、前記情報処理装置からの稼動状況応答受信部と、前記情報処理装置に対する課金要求部と、課金応答受信部として機能させるプログラムにより、解決できる。
【００１１】
さらに、さらにコンピュータを、情報処理装置の診断要求受信部と、十度二倍則に基づく寿命診断部と、この寿命診断部の診断結果を送信する診断応答部として機能させるプログラムにより、解決できる。
さらに、さらにまた、コンピュータを、情報処理装置に対する課金要求受信部と、十度二倍則に基づく課金演算部と、この課金演算部の演算結果を送信する課金応答部として機能させるプログラムにより、解決できる。
【発明の効果】
【００１２】
本発明によれば、情報処理機器の設計寿命の前提となる温度条件と実稼動温度条件との差から実稼動寿命を診断する寿命診断方法と、情報処理機器のプログラムを提供することができる。
【００１３】
また、情報処理機器の実稼動温度条件に基づいて、課金を請求する課金請求方法と、情報処理機器のプログラムを提供することができる。
【発明を実施するための最良の形態】
【００１４】
以下、本発明の実施の形態について、実施例を用い図面を参照しながら説明する。なお、実質同一部位には同じ参照番号を振り、説明は繰り返さない。
【実施例１】
【００１５】
実施例１を図１ないし図６を用いて説明する。ここで、図１はネットワーク中継装置のブロック図である。図２はサーバおよびＰＣのブロック図である。図３はＰＣ、サーバおよびネットワーク中継装置のシーケンス図である。図４はＰＣのサービス提案判定に関するフロー図である。図５は製品寿命の診断方法を説明する図である。図６はＣＤ−Ｒの平面図と側面図である。
【００１６】
以下の実施例では、ネットワーク中継装置の寿命診断を説明するが、情報処理装置はネットワーク中継装置に限られずサーバ、ＰＣを含み、これらに限られない。
【００１７】
図１において、ネットワーク中継装置１００は、制御部１０と、ｎ台の回線インターフェース部１１とから構成されている。制御部１０は、回線インターフェース部１１との間でパケットの転送を行なうパケット処理部６と、パケット処理部６を制御するＣＰＵ１と、ＣＰＵ１に接続された主メモリ２と、ＣＰＵに接続された時計３と温度センサ４と不揮発性メモリ５とシリアルインターフェース８とから構成されている。
【００１８】
ネットワーク中継装置１００は、主メモリ２に記録されＣＰＵ１で実行されるプログラムによって、電源投入後の不揮発性メモリの値を読み取り、１時間毎に筐体内温度を温度センサ４で測定する。測定結果は、（１）２０℃以下、（２）２０℃超３０℃以下、（３）３０℃超４０℃以下、（４）４０℃超の４分類に分け、１時間その温度だったとして不揮発性メモリを更新する。ネットワーク中継装置１００は、また、サーバ２００からの稼動状況要求に基づいて、不揮発性メモリの内容を含む稼動状況応答をサーバ２００に返信する。
【００１９】
図２において、サーバ２００およびＰＣ３００は、バスに接続されたＣＰＵ１３、メモリ１４、回線インターフェース１５、外部メディア用ドライブ１６、ＨＤＤ１７、ディスプレイ１８、キーボード１９、マウス２０から構成される。回線インターフェース部１５には、ＬＡＮ回線２１が接続される。また、外部メディア用ドライブには、測定データ記憶メディアを挿入し、読み取ることが可能である。
【００２０】
ＰＣ３００は、メモリ１４に記録されＣＰＵ１３で実装されるプログラムによって、サーバ２００からの診断要求に基づいて、寿命診断を実施する。ＰＣ３００は、その結果をサーバ返信する。ＰＣ３００は、また、サーバ２００に、寿命診断結果に基づく、サービス提案を実施する。
【００２１】
サーバ２００は、メモリ１４に記録されＣＰＵ１３で実装されるプログラムによって、ネットワーク中継装置１００から温度帯毎の稼働時間を取得し、ＰＣ３００に送信する。サーバ２００は、また、ＰＣ３００から診断結果を受信する。
【００２２】
図３において、ネットワーク中継装置１００は、１時間に１回、温度センサ４の測定した温度を含む不揮発性メモリ５の温度帯の時間値をインクリメントする（Ｔ３１）。サーバ２００は、１ヶ月に１回程度の頻度で、ネットワーク中継装置２００に、稼動状況要求を送信する（Ｔ３２）。ネットワーク中継装置１００は、これに応答して不揮発性メモリの温度帯ごとの時間値を含む稼動状況応答を、サーバ２００に返信する（Ｔ３３）。稼動状況応答を受信したサーバ２００は、温度帯ごとの時間値を含む診断要求を、ＰＣ３００に送信する（Ｔ３４）。ＰＣ３００は、寿命診断を実施し（Ｔ３５）、その結果を診断応答に乗せてサーバ２００に返信する（Ｔ３６）。ＰＣ３００は、さらに診断結果に基づいてサービスが適用できないか判定する（Ｔ３７）。この場合、診断結果依存するサービス提案をサーバ２００に送信する（Ｔ３８）。
【００２３】
ＰＣ３００は、製品寿命の診断値が出荷時想定値（３５℃で昼夜稼動）より良好か判定する（Ｓ４１）。Ｙｅｓなら、ＰＣ３００は、出荷時から一定期間経ているか判定し（Ｓ４２）、Ｎｏなら終了する。ステップ４２がＹｅｓなら、ＰＣ３００は、製品保証の追加提案をサーバ２００に送信して（Ｓ４３）、終了する。ステップ４１がＮｏのとき、ＰＣ３００は、製品寿命診断値が一定値以下か判定し（Ｓ４４）、Ｎｏなら終了する。ステップ４４でＹｅｓのとき、ＰＣ３００は、オーバホールサービス提案をサーバ２００に送信して（Ｓ４４）、終了する。
【００２４】
図５において、重み付け使用時間テーブル５０は、使用温度５１、使用時間５２、係数５３、重み付け使用時間５４から構成される。重み付け使用時間テーブル５０の使用温度５１と、使用時間５２とは、不揮発性メモリのデータをサーバ経由で得たものである。この場合、ネットワーク中継装置１００は、（１）２０℃以下で８，０００時間、（２）２０℃超３０℃以下で２０，０００時間、（３）３０℃超４０℃以下で５，０００時間、（４）４０℃超で０時間稼動し、合計の通電時間は３３，０００時間である。重み付け使用時間テーブル５０の係数５３は、３５℃を１としたときの、十度二倍則の係数であり、（１）２０℃以下で１／４、（２）２０℃超３０℃以下で１／２、（３）３０℃超４０℃以下で１、（４）４０℃超で２である。重み付け使用時間テーブル５０の重み付け使用時間は、使用時間５２と係数５３との積であり、最下欄にその総和を記載している。すなわち、環境温度を考慮した重み付け使用時間は、１７，０００時間であり、通電時間３３，０００時間の半分程度である。この時点でのネットワーク中継装置の残存寿命は、５２．６ｋ時間−１７ｋ時間＝３５．６ｋ時間である。
【００２５】
図６において、図６（ａ）はＣＤ−Ｒの平面図、図６（ｂ）はＣＤ−Ｒの側面図である。ＣＤ−Ｒ６０は、サーバ２００およびＰＣ３００が実行するプログラムを記録するコンピュータ読み取り可能な記録媒体である。コンピュータ読み取り可能な記録媒体として、ＣＤ−Ｒを挙げたがＣＤ−ＲＯＭでも、ＤＶＤ−Ｒでも、ＦＤでも構わず、これらに限られない。
上述したように、実施例１では情報処理装置の環境温度に応じて、寿命評価をすることができる。
【実施例２】
【００２６】
実施例２を図７および図８により説明する。ここで、図７はＰＣ、サーバおよびネットワーク中継装置のシーケンス図である。図８は稼動課金方法を説明する図である。なお、実施例２においてネットワーク中継装置のユーザは、ネットワーク中継装置を、代理店（サーバ）またはメーカ（ＰＣ）からリースしていることを前提としている。
【００２７】
図７において、ネットワーク中継装置１００は、１時間に１回、温度センサ４の測定した温度を含む不揮発性メモリ５の温度帯の時間値をインクリメントする（Ｔ６１）。サーバ２００は、１ヶ月に１回程度の頻度で、ネットワーク中継装置２００に、稼動状況要求を送信する（Ｔ６２）。ネットワーク中継装置１００は、これに応答して不揮発性メモリの温度帯ごとの時間値を含む稼動状況応答を、サーバ２００に返信する（Ｔ６３）。稼動状況応答を受信したサーバ２００は、温度帯ごとの時間値を含む課金要求を、ＰＣ３００に送信する（Ｔ６４）。ＰＣ３００は、課金演算を実施し（Ｔ６５）、その結果を課金応答に乗せてサーバ２００に返信する（Ｔ６６）。
【００２８】
図８において、図８（ａ）の重み付け使用時間テーブル５０Ａは前月の重み付け使用時間テーブルであり、図８（ｂ）の重み付け使用時間テーブル５０Ｂは当月の重み付け使用時間テーブルである。すなわち、前月の重み付け使用時間は５，８００時間、当月の重み付け使用時間は６，０５５時間なので、当月の実重み付け使用時間は、６，０５５−５，８００＝２５５（時間）である。
【００２９】
ネットワーク中継装置１００の売価をＣｋ￥とすると、金利等を考慮しなければ、当月のリース料を（２）式とする。
リース料＝Ｃ／５２，６００＊２５５    …（２）
実施例２に拠れば、いわば丁寧に情報処理装置を扱うユーザには、リース料金を安く設定できる。また、丁寧に扱われた情報処理装置を、設計寿命にかかわらず長期間にわたって稼動させることができる。
【図面の簡単な説明】
【００３０】
【図１】ネットワーク中継装置のブロック図である。
【図２】サーバおよびＰＣのブロック図である。
【図３】ＰＣ、サーバおよびネットワーク中継装置のシーケンス図である。
【図４】ＰＣのサービス提案判定に関するフロー図である。
【図５】製品寿命の診断方法を説明する図である。
【図６】コンピュータ読み取り可能なＣＤ−Ｒの平面図、側面図である。
【図７】ＰＣ、サーバおよびネットワーク中継装置のシーケンス図である。
【図８】稼動課金方法を説明する図である。
【符号の説明】
【００３１】
１…ＣＰＵ、２…主メモリ、３…時計、４…温度センサ、５…不揮発性メモリ、６…パケット処理部、８…シリアルインターフェース、１０…制御部、１１…回線インターフェース、１３…ＣＰＵ、１４…メモリ、１５…回線インターフェース、１６…外部メディア用ドライブ、１７…ＨＤＤ、１８…ディスプレイ、１９…キーボード、２０…マウス、２１…回線、２２…測定データ記憶メディア、５０…重み付け使用時間テーブル、６０…ＣＤ−Ｒ、１００…ネットワーク中継装置、１１１…回線、２００…サーバ、３００…ＰＣ。
【図１】
2008020978.tif 000003
【図２】
2008020978.tif 000004
【図３】
2008020978.tif 000005
【図４】
2008020978.tif 000006
【図５】
2008020978.tif 000007
【図６】
2008020978.tif 000008
【図７】
2008020978.tif 000009
【図８】
2008020978.tif 000010